(57)【特許請求の範囲】
【請求項１】
カードを駆動ローラで挟んでカード搬送路内を搬送することにより、その直前に搬送したカードと端面同士を接触させて、前に搬送したカードをカード排出口より押し出すカード搬送装置において、
カード搬送路内に、端面同士を接触させるそれぞれのカードの表面のうち少なくとも１つの下側の面に接触可能であると共に、カード搬送路内に突起する突起ガイドを備え、突起ガイドと接触したカードを傾斜させることにより、接触するカードの端面同士を、交差した状態で接触するようにしたことを特徴とするカード搬送装置。
【請求項２】
端面同士を接触させるそれぞれのカードの表面のうち、一方のカードには、進行方向に対して一方の幅方向端部の下側の面に接触するように第一の突起ガイドが設けられ、他方のカードには、進行方向に対して他方の幅方向端部の下側の面に接触するように第二の突起ガイドが設けられていることを特徴とする請求項１記載のカード搬送装置。
【請求項３】
カード搬送路内に、端面同士を接触させるそれぞれのカードの表面のうち上側の面に接触可能であると共に、カード搬送路内に突起する上側突起ガイドをも備え、端面同士を接触させるそれぞれのカードの表面のうち、上記一方のカードには、進行方向に対して上記他方の幅方向端部の上側の面に接触するように第一の上側突起ガイドが設けられ、上記他方のカードには、進行方向に対して上記一方の幅方向端部の上側の面に接触するように第二の上側突起ガイドが設けられていることを特徴とする請求項２記載のカード搬送装置。
【請求項４】
突起ガイドのカードと接触する部分が、カードの傾斜に対応するような斜面形状に形成されていることを特徴とする請求項１から請求項３のいずれかに記載のカード搬送装置。
【請求項５】
突起ガイドのカードと接触する部分が、カード側に凸の曲面形状に形成されていることを特徴とする請求項１から請求項３のいずれかに記載のカード搬送装置。
【請求項６】
突起ガイドのうちカードの進行方向後尾側の部分が、進行方向後尾側に向かって突起量が減少するような斜面形状に形成されていることを特徴とする請求項１から請求項５のいずれかに記載のカード搬送装置。
【請求項７】
突起ガイドのうちカードの進行方向先頭側の部分が、進行方向先頭側に向かって突起量が減少するような斜面形状に形成されていることを特徴とする請求項１から請求項６のいずれかに記載のカード搬送装置。
【請求項８】
カードを駆動ローラで挟んでカード搬送路内を搬送することにより、その直前に搬送したカードと端面同士を接触させて、前に搬送したカードをカード排出口より押し出すカード搬送装置において、
駆動ローラの回転軸を延長した線を、直前に搬送したカードの表面を延長した平面に対して、交差するように設けることにより、接触するカードの端面同士を、交差した状態で接触するようにしたことを特徴とするカード搬送装置。
【発明の詳細な説明】
【０００１】
【発明の属する技術分野】
本発明は、磁気カード等のカードを搬送して、カード排出口より１枚ずつ押し出すカード搬送装置に関するものである。
【０００２】
【従来の技術】
磁気カード、ＩＣカード、光カード等の各種カードに記録された情報を読み出したり、情報を書き込むために、カードリーダー等が用いられており、このカードリーダー等にカードを１枚ずつ投入して搬送したり、そのカードを排出するために、カード搬送装置が用いられている。
【０００３】
このカード搬送装置としては、例えば図７（ａ）に示すような、カード投入口１４やカード排出口１６に連通し、カード１０の厚みよりやや広い空隙よりなるカード搬送路１２と、そのカード搬送路１２に露出する回転可能な駆動ローラ１８ａ・・を備え、カード搬送路１２内に投入されたカード１０を駆動ローラ１８ａで挟んでカード搬送路１２内を進行させることにより、記録再生ヘッド１７等の部分に搬送した後、そのカード１０を駆動ローラ１８ｂで挟んでカード搬送路１２内を進行させることにより、カード排出口１６より排出する装置が用いられている。
【０００４】
なお、このような方法でカード１０を排出しようとすると、カード１０を搬送する距離が長い場合、駆動ローラ１８ａ・・の数を増やす必要がありコストアップになるという問題があった。そのため、例えば図７（ｂ）に示すような、駆動ローラ１８ｂで挟んでカード搬送路１２内を搬送しているカード１０Ａと、その直前に搬送したカード１０Ｂとを、端面同士を接触させた状態で、駆動ローラ１８ｂで挟んだカード１０Ａを進行させることにより、直前に搬送したカード１０Ｂをもカード搬送路１２内を搬送して、カード排出口１６より押し出すようにしたカード搬送装置も検討されている。
【０００５】
しかし、このようなカード１０Ａ，１０Ｂの端面を接触させて押し出すようにしたカード搬送装置の場合、駆動ローラ１８ｂで挟んで搬送したカード１０Ａが、直前に搬送したカード１０Ｂの上又は下に重なってしまい、カード排出口より突出するカードの長さが不十分になったり、カード搬送路内でカードの詰まりが生ずる場合があるという問題があった。
【０００６】
【発明が解決しようとする課題】
本発明は、上記問題点を改善するために成されたもので、その目的とするところは、カードを駆動ローラで挟んでカード搬送路内を搬送することにより、その直前に搬送したカードと端面同士を接触させて、前に搬送したカードをカード排出口より押し出すカード搬送装置であって、カード搬送路内でカードが重なりにくいカード搬送装置を提供することにある。
【０００７】
【課題を解決するための手段】
本発明の請求項１に係るカード搬送装置は、カードを駆動ローラで挟んでカード搬送路内を搬送することにより、その直前に搬送したカードと端面同士を接触させて、前に搬送したカードをカード排出口より押し出すカード搬送装置において、カード搬送路内に、端面同士を接触させるそれぞれのカードの表面のうち少なくとも１つの下側の面に接触可能であると共に、カード搬送路内に突起する突起ガイドを備え、突起ガイドと接触したカードを傾斜させることにより、接触するカードの端面同士を、交差した状態で接触するようにしたことを特徴とする。
【０００８】
本発明の請求項２に係るカード搬送装置は、請求項１記載のカード搬送装置において、端面同士を接触させるそれぞれのカードの表面のうち、一方のカードには、進行方向に対して一方の幅方向端部の下側の面に接触するように第一の突起ガイドが設けられ、他方のカードには、進行方向に対して他方の幅方向端部の下側の面に接触するように第二の突起ガイドが設けられていることを特徴とする。
【０００９】
本発明の請求項３に係るカード搬送装置は、請求項２記載のカード搬送装置において、カード搬送路内に、端面同士を接触させるそれぞれのカードの表面のうち上側の面に接触可能であると共に、カード搬送路内に突起する上側突起ガイドをも備え、端面同士を接触させるそれぞれのカードの表面のうち、上記一方のカードには、進行方向に対して上記他方の幅方向端部の上側の面に接触するように第一の上側突起ガイドが設けられ、上記他方のカードには、進行方向に対して上記一方の幅方向端部の上側の面に接触するように第二の上側突起ガイドが設けられていることを特徴とする。
【００１０】
本発明の請求項４に係るカード搬送装置は、請求項１から請求項３のいずれかに記載のカード搬送装置において、突起ガイドのカードと接触する部分が、カードの傾斜に対応するような斜面形状に形成されていることを特徴とする。
【００１１】
本発明の請求項５に係るカード搬送装置は、請求項１から請求項３のいずれかに記載のカード搬送装置において、突起ガイドのカードと接触する部分が、カード側に凸の曲面形状に形成されていることを特徴とする。
【００１２】
本発明の請求項６に係るカード搬送装置は、請求項１から請求項５のいずれかに記載のカード搬送装置において、突起ガイドのうちカードの進行方向後尾側の部分が、進行方向後尾側に向かって突起量が減少するような斜面形状に形成されていることを特徴とする。
【００１３】
本発明の請求項７に係るカード搬送装置は、請求項１から請求項６のいずれかに記載のカード搬送装置において、突起ガイドのうちカードの進行方向先頭側の部分が、進行方向先頭側に向かって突起量が減少するような斜面形状に形成されていることを特徴とする。
【００１４】
本発明の請求項８に係るカード搬送装置は、カードを駆動ローラで挟んでカード搬送路内を搬送することにより、その直前に搬送したカードと端面同士を接触させて、前に搬送したカードをカード排出口より押し出すカード搬送装置において、駆動ローラの回転軸を延長した線を、直前に搬送したカードの表面を延長した平面に対して、交差するように設けることにより、接触するカードの端面同士を、交差した状態で接触するようにしたことを特徴とする。
【００１５】
【発明の実施の形態】
本発明に係るカード搬送装置を図面に基づいて説明する。図１は本発明の請求項１に係るカード搬送装置の第１の実施の形態を説明する図であり、図２は本発明の請求項１に係るカード搬送装置の第２の実施の形態を説明する図であり、図３は本発明の請求項１に係るカード搬送装置の第３の実施の形態を説明する図である。また、図４及び図５は本発明の請求項１に係るカード搬送装置の変形例を説明する図であり、図６は本発明の請求項８に係るカード搬送装置の第１の実施の形態を説明する図である。
【００１６】
［本発明の請求項１に係るカード搬送装置］
本発明の請求項１に係るカード搬送装置の第１の実施の形態は、図１に示すように、カード投入口１４やカード排出口１６に連通し、カード１０Ａ，１０Ｂの厚みよりやや広い空隙よりなるカード搬送路１２と、そのカード搬送路１２に露出する回転可能な駆動ローラ１８を備え、カード搬送路１２内に投入されたカード１０Ａを駆動ローラ１８で挟んでカード搬送路１２内を搬送することにより、その直前に搬送したカード１０Ｂと端面同士を接触させて、前に搬送したカード１０Ｂをカード排出口１６より１枚ずつ押し出すカード搬送装置である。
【００１７】
なお、カード搬送路１２内には、カード搬送路１２内に突起するように第一の突起ガイド２０ａ及び第二の突起ガイド２０ｂが設けられており、端面同士を接触させるそれぞれのカード１０Ａ，１０Ｂの表面のうち、駆動ローラ１８で挟んで搬送する一方のカード１０Ａには、進行方向Ｆに対して一方の幅方向端部の下側の面に接触するように第一の突起ガイド２０ａが設けられ、その一方のカード１０Ａによって押し出される他方のカード１０Ｂには、進行方向Ｆに対して他方の幅方向端部の下側の面に接触するように第二の突起ガイド２０ｂが設けられている。
【００１８】
そのため、第一の突起ガイド２０ａを設けた部分の一方のカード１０Ａは、自重によって、図１（ｃ）に示すように、第一の突起ガイド２０ａと接触する側が高い傾斜した状態となっている。また、第二の突起ガイド２０ｂを設けた部分の他方のカード１０Ｂは、自重によって、図１（ｄ）に示すように、第二の突起ガイド２０ｂと接触する側が高い傾斜した状態となっている。
【００１９】
そのため、カード排出口１６側から見たそれぞれのカード１０Ａ，１０Ｂは、図１（ｅ）に示すように、進行方向Ｆに対して逆の方向に傾斜しており、接触するカード１０Ａ，１０Ｂの端面同士が、交差した状態で接触するようになっている。そのため、カード１０Ａを駆動ローラ１８で挟んで搬送しても、直前に搬送したカード１０Ｂの上又は下に重なり難くなっており、カード搬送路１２内でカード１０Ａ，１０Ｂの詰まりが生じ難くなっている。
【００２０】
なお、接触するカード１０Ａ，１０Ｂの端面同士が交差する角度は、０．４〜２度、より好ましくは０．６〜０．９度が好ましい。０．４度未満の場合は、カード搬送路１２が広い場合、カード１０Ａ，１０Ｂの詰まりが生じることがあり、２度を越える場合、カード１０Ａ，１０Ｂの端面同士が接触する面積が小さくなるため、接触する部分の圧力が高くなり、それによる搬送トラブルが発生する恐れがある。
【００２１】
突起ガイド２０ａ・・のカード１０Ａ，１０Ｂと接触する部分の形状は、特に限定するものではないが、図４（ａ）に示すように、カード１０Ａ・・の傾斜に対応するような斜面形状に形成されていると、突起ガイド２０ａ・・とカード１０Ａ・・が接触する面積が増えるため、突起ガイド２０ａ・・と接触したカード１０Ａ・・を確実に傾斜させることが可能になり、カード１０Ａ，１０Ｂの詰まりが特に生じ難くなって好ましい。また、図４（ｂ）に示すように、カード１０Ａ・・側に凸の曲面形状に形成されていると、突起ガイド２０ａ・・とカード１０Ａ・・が接触するときの摩擦が小さくなって好ましい。
【００２２】
また、図５（ａ）に示すように、突起ガイド２０ａ・・のうち、カード１０Ａ，１０Ｂの進行方向Ｆ後尾側の部分が、進行方向Ｆ後尾側に向かって突起量が減少するような斜面形状に形成されている場合、カード１０Ａ，１０Ｂの進行に応じてカード１０Ａ，１０Ｂの傾斜が大きくなるため、安定してカード１０Ａ，１０Ｂを傾斜させることができ好ましい。この進行方向Ｆ後尾側に向かって突起量が減少する角度は、０．１〜２度、より好ましくは０．２〜０．８度が好ましい。０．１度未満の場合は、突起ガイド２０ａ・・の大きさが大きくなって問題となり、２度を越える場合、カード１０Ａ，１０Ｂを安定して傾斜させる効果が小さくなる。
【００２３】
また、図５（ｂ）に示すように、カード排出口１６に近い部分の突起ガイド２０ｂは、進行方向Ｆ先頭側の部分が、進行方向Ｆ先頭側に向かって突起量が減少するような斜面形状に形成されていると、カード１０Ｂをカード排出口１６より押し出すときに、自重によって先頭部が下に傾くため、安定して排出することができ好ましい。なお、カード排出口１６から突出しているカード１０Ｂと、カード排出口１６の位置関係を、カード１０Ｂの重心位置がカード排出口１６より外側の部分に位置するようにした場合も、自重によって先頭部が下に傾くため、安定して排出することができ好ましい。
【００２４】
なお、上記第一の突起ガイド２０ａ及び第二の突起ガイド２０ｂに加えて、図２に示すように、カード搬送路１２内に突起するように第一の上側突起ガイド２２ａ及び第二の上側突起ガイド２２ｂをも設けると共に、端面同士を接触させるそれぞれのカード１０Ａ，１０Ｂの表面のうち、上記一方のカード１０Ａには、進行方向Ｆに対して上記他方の幅方向端部の上側の面に接触するように第一の上側突起ガイド２２ａを設け、上記他方のカード１０Ｂには、進行方向Ｆに対して上記一方の幅方向端部の上側の面に接触するように第二の上側突起ガイド２２ｂを設けると好ましい。
【００２５】
この場合、図２（ｃ）に示すように、一方のカード１０Ａには第一の突起ガイド２０ａ及び第一の上側突起ガイド２２ａが接触し、図２（ｄ）に示すように、他方のカード１０Ｂには第二の突起ガイド２０ｂ及び第二の上側突起ガイド２２ｂが接触するため、その両者のガイド（突起ガイド及び上側突起ガイド）によってそれぞれのカード１０Ａ，１０Ｂを確実に傾斜させることが可能となり、それぞれのカード１０Ａ，１０Ｂの端面同士を確実に交差した状態で接触させることが可能になるため、カード搬送路１２内でカード１０Ａ，１０Ｂの詰まりが特に生じ難くなる。
【００２６】
なお、突起ガイド２０ａ・・は、それぞれのカード１０Ａ，１０Ｂに対応するように複数設けることに限定するものではなく、図３に示すように、一方のカード１０Ａの下側の面のみに接触するように、又は、図示しないが、他方のカード１０Ｂの下側の面のみに接触するように設けた場合であっても、カード１０Ａ，１０Ｂの端面同士を、交差した状態で接触させることが可能になるため、カード搬送路１２内でカード１０Ａ，１０Ｂの詰まりが生じ難くなる。
【００２７】
なお、図１に示すような、第一の突起ガイド２０ａ及び第二の突起ガイド２０ｂを設けた場合、図３に示すような、一方のカード１０Ａの下側の面のみに接触するように突起ガイド２０ａ設けた場合と比較して、それぞれのカード１０Ａ，１０Ｂを確実に交差した状態で接触させることが可能になるため、カード１０Ａ，１０Ｂの詰まりが特に生じ難くなると共に、図２に示すような、第一の上側突起ガイド２２ａ及び第二の上側突起ガイド２２ｂをも設けた場合と比較して、カード１０Ａ，１０Ｂに生じる摩擦が小さくなり好ましい。
【００２８】
図１や図２に示すように、それぞれのカード１０Ａ，１０Ｂの下側の面に接触するように複数の突起ガイド２０ａ・・を設ける場合には、一方のカード１０Ａの下側の面に接触する第一の突起ガイド２０ａと、他方のカード１０Ｂの下側の面に接触する第二の突起ガイド２０ｂとを、カード１０Ａ，１０Ｂの進行方向Ｆ中心線ＣＬからの距離がほぼ同じ距離になるような位置に設けると、カード１０Ａ，１０Ｂの端面同士が、端面の中央部分で接触するようになるため、カード１０Ｂを安定して搬送することができ好ましい。
【００２９】
また、それぞれのカード１０Ａ，１０Ｂの下側の面に接触するように複数の突起ガイド２０ａ・・を設ける場合には、一方のカード１０Ａの下側の面に接触する第一の突起ガイド２０ａと、他方のカード１０Ｂの下側の面に接触する第二の突起ガイド２０ｂとの間に、突起の無い部分を設け、その突起の無い部分で、端面同士を接触させるようにすると、それぞれのカード１０Ａ，１０Ｂの端面同士を、確実に交差した状態で接触させることが可能になるため、カード搬送路１２内でカード１０Ａ，１０Ｂの詰まりが特に生じ難くなり好ましい。
【００３０】
なお、カード１０Ａを挟んで搬送する駆動ローラ１８を設ける位置は、特に限定するものではないが、第一の突起ガイド２０ａを設けた位置よりも、進行方向Ｆ後尾側の位置に設けると、カード１０Ａを確実に傾斜することができ好ましい。また、駆動ローラ１８は、カード１０Ａを両面から挟んで搬送するようにしても良く、カード１０Ａの一方の面に接触させることにより、カード搬送路１２の壁面と駆動ローラ１８とで挟んで搬送するようにしても良い。
【００３１】
また、上記実施の形態は、カード１０Ａを駆動ローラ１８で挟んで搬送することによって直前に搬送したカード１０Ｂをカード排出口１６より押し出す実施の形態を説明したが、直前に搬送したカード１０Ｂをカード排出口１６より押し出すことに限定するものではなく、直前に搬送したカード１０Ｂを介して、その前に搬送したカードをカード排出口１６より押し出すようにしても良い。この場合も、それぞれのカード１０Ａ・・の端面同士を、交差した状態で接触するようにして押し出すことが重要である。
【００３２】
［本発明の請求項８に係るカード搬送装置］
本発明の請求項８に係るカード搬送装置の第１の実施の形態は、図６に示すように、カード投入口１４やカード排出口１６に連通し、カード１０Ａ，１０Ｂの厚みよりやや広い空隙よりなるカード搬送路１２と、そのカード搬送路１２に露出する回転可能な駆動ローラ１８を備え、カード搬送路１２内に投入されたカード１０Ａを駆動ローラ１８で挟んでカード搬送路１２内を搬送することにより、その直前に搬送したカード１０Ｂと端面同士を接触させて、前に搬送したカード１０Ｂをカード排出口１６より１枚ずつ押し出すカード搬送装置である。
【００３３】
なお、駆動ローラ１８の回転軸１９を延長した線ＥＪが、直前に搬送したカード１０Ｂの表面を延長した平面ＥＭに対して、交差するように設けられており、駆動ローラ１８で挟んだカード１０Ａの平面方向が、直前に搬送したカード１０Ｂの表面を延長した平面ＥＭに対して、傾斜するようになっている。
【００３４】
そのため、カード排出口１６側から見たそれぞれのカード１０Ａ，１０Ｂは、図６（ｄ）に示すように、その端面同士が、交差した状態で接触するようになっている。そのため、カード１０Ａを駆動ローラ１８で挟んで搬送しても、直前に搬送したカード１０Ｂの上又は下に重なり難くなっており、カード搬送路１２内でカード１０Ａ，１０Ｂの詰まりが生じ難くなっている。
【００３５】
なお、接触するカード１０Ａ，１０Ｂの端面同士が交差する角度（駆動ローラ１８の回転軸１９を延長した線ＥＪと、直前に搬送したカード１０Ｂの表面を延長した平面ＥＭが交差する角度）は、０．４〜２度、より好ましくは０．６〜０．９度が好ましい。０．４度未満の場合は、カード搬送路１２が広い場合、カード１０Ａ，１０Ｂの詰まりが生じることがあり、２度を越える場合、カード１０Ａ，１０Ｂの端面同士が接触する面積が小さくなるため、接触する部分の圧力が高くなり、それによる搬送トラブルが発生する恐れがある。
【００３６】
なお、駆動ローラ１８を設ける位置を調整することにより、カード１０Ａ，１０Ｂの端面同士が、端面の中央部分で接触するようすると、押し出されるカード１０Ｂが曲がったりせず、安定して搬送することができ好ましい。
【００３７】
【発明の効果】
本発明の請求項１に係るカード搬送装置は、カード搬送路内に突起ガイドを備え、突起ガイドと接触したカードを傾斜させることにより、接触するカードの端面同士を、交差した状態で接触するようにしたため、カード搬送路内でカードが重なりにくいカード搬送装置となる。
【００３８】
本発明の請求項８に係るカード搬送装置は、駆動ローラの回転軸を延長した線を、直前に搬送したカードの表面を延長した平面に対して、交差するように設けることにより、接触するカードの端面同士を、交差した状態で接触するようにしたため、カード搬送路内でカードが重なりにくいカード搬送装置となる。
【図面の簡単な説明】
【図１】本発明の請求項１に係るカード搬送装置の第１の実施の形態を説明する図であり、（ａ）は平面図、（ｂ）は正面図、（ｃ）は（ａ）のｃ−ｃ断面図、（ｄ）は（ａ）のｄ−ｄ断面図、（ｅ）はカード排出口側から見た側面図である。
【図２】本発明の請求項１に係るカード搬送装置の第２の実施の形態を説明する図であり、（ａ）は平面図、（ｂ）は正面図、（ｃ）は（ａ）のｃ−ｃ断面図、（ｄ）は（ａ）のｄ−ｄ断面図、（ｅ）はカード排出口側から見た側面図である。
【図３】本発明の請求項１に係るカード搬送装置の第３の実施の形態を説明する図であり、（ａ）は平面図、（ｂ）は正面図、（ｃ）は（ａ）のｃ−ｃ断面図、（ｄ）は（ａ）のｄ−ｄ断面図、（ｅ）はカード排出口側から見た側面図である。
【図４】本発明の請求項１に係るカード搬送装置の変形例を説明する側面図である。
【図５】本発明の請求項１に係るカード搬送装置の変形例を説明する正面図である。
【図６】本発明の請求項８に係るカード搬送装置の第１の実施の形態を説明する図であり、（ａ）は平面図、（ｂ）は正面図、（ｃ）は（ａ）のｃ−ｃ、及び、ｄ−ｄ断面図、（ｄ）はカード排出口側から見た側面図である。
【図７】従来のカード搬送装置を説明する正面図である。
【符号の説明】
１０Ａ，１０Ｂ  カード
１２  カード搬送路
１４  カード投入口
１６  カード排出口
１８  駆動ローラ
１９  駆動ローラの回転軸
２０ａ，２０ｂ  突起ガイド
２２ａ，２２ｂ  上側突起ガイド
Ｆ    進行方向
ＣＬ  カードの進行方向中心線
ＥＪ  駆動ローラの回転軸を延長した線
ＥＭ  直前に搬送したカードの表面を延長した平面
【図１】
0003702666.tif 000002
【図２】
0003702666.tif 000003
【図３】
0003702666.tif 000004
【図４】
0003702666.tif 000005
【図５】
0003702666.tif 000006
【図６】
0003702666.tif 000007
【図７】
0003702666.tif 000008